(57)【要約】【課題】軸溝及びハウジングへの装着が容易で、摺動摩耗が小さく、油圧の発生しない無負荷の状態においても、ハウジング内周面との密着を維持し得るシールリング及びシール装置を提供する。【解決手段】シールリングは、ハウジングに対して相対移動する軸の外周面に形成された軸溝に装着され、上記ハウジングと上記軸との間におけるオイル漏れを防止する。上記シールリングは、樹脂リングと、コイルエキスパンダを具備する。上記樹脂リングは、上記軸溝の側面に対向する受圧側面と、上記軸溝の溝底に対向する内周面と、上記受圧側面と上記内周面とを接続し、上記受圧側面及び上記内周面に対して傾斜した傾斜面とを有する。上記コイルエキスパンダは、上記傾斜面と上記側面との間に上記溝底から離間して設けられる。【選択図】図２
2014178037.tif 000002
【特許請求の範囲】
【請求項１】
ハウジングの内周面に対向する軸の外周面に形成された軸溝に装着され、前記軸と前記ハウジングとの間におけるオイル漏れを防止可能なシールリングであって、
前記軸溝の側面に対向する受圧側面と、前記軸溝の溝底に対向する内周面と、前記受圧側面と前記内周面とを接続し、前記受圧側面及び前記内周面に対して傾斜した傾斜面とを有する樹脂リングと、
前記傾斜面と前記側面との間に前記溝底から離間して設けられるコイルエキスパンダと
を具備するシールリング。
【請求項２】
請求項１に記載のシールリングであって、
前記コイルエキスパンダは、合口と、前記合口を接続する接続部とを有する
シールリング。
【請求項３】
外周面と、前記外周面に形成された軸溝とを有する軸と、
前記外周面に対向する内周面を有し、前記軸との間に加わる油圧に応じて前記軸に対して前記外周面に沿って相対移動可能なハウジングと、
前記軸溝の側面に対向する受圧側面と、前記軸溝の溝底に対向する内周面と、前記受圧側面及び前記内周面を接続し、前記受圧側面及び前記内周面に対して傾斜した傾斜面とを有する樹脂リングと、
前記傾斜面と前記側面との間に前記溝底から離間して設けられるコイルエキスパンダと
を具備するシール装置。
【発明の詳細な説明】
【技術分野】
【０００１】
本発明は、シールリング及びシール装置に関し、特に、プーリの直径を変えることにより変速を無段階に変化させる無段変速機（Ｃｏｎｔｉｎｕｏｕｓｌｙ  Ｖａｒｉａｂｌｅ  Ｔｒａｎｓｍｉｓｓｉｏｎ、以下、「ＣＶＴ」という。）に用いられるシールリング及びシール装置に関する。
【背景技術】
【０００２】
油圧式ＣＶＴでは、油圧室の油圧により、プーリの溝幅を相関的に変化させ、プーリの直径を変えることにより変速を無段階に変化させている。通常、駆動用の軸に固定プーリが一体形成され、この軸に沿って往復動するハウジングに可動プーリが形成されている。可動プーリには油圧室が設けられ、油圧室の油圧を制御することにより、可動プーリが固定プーリに離接する。これにより、両プーリに形成される溝部の幅を増減して、プーリに巻き掛けられたベルトの回転半径を増減させ、動力を伝達して、変速比を変化させる。軸の外周面に形成される軸溝には、油圧室に油を満たし、油圧を生じさせるために、シールリングが装着される。
【０００３】
ＣＶＴでは、油圧室に最大約７ＭＰａの油圧が生じるため、高油圧下で、優れた耐摩耗性及びシール性を有するシールリングが要求される。また、高速運転時の発熱による温度上昇や寒冷地での使用を考慮すると、シールリングには、−４０℃〜１５０℃の温度領域での耐性が求められる。一般にシールリング材料としては、ポリテトラフルオロエチレン（ＰＴＦＥ）、変性ポリテトラフルオロエチレン、エチレンテトラフルオロエチレン（ＥＴＦＥ）等のフッ素系樹脂にカーボン粉末やカーボンファイバー等の添加剤を充填した材料が用いられている。
【０００４】
前記ＣＶＴでは、エンジン停止時には、オイルポンプが停止するため、油圧が発生せず無負荷となる。従来のシールリングでは、油圧の発生している状態では、充分なシール性が得られるが、無負荷状態では、ハウジング内周面との密着性が失われ、油圧室の油が抜けてしまう。このような状態で、エンジンを再起動すると、油圧室に油が充填されるまでに時間を要する。また、油圧室に油が充填されていない状態で起動すると、ＣＶＴの回転部に焼き付きによる損傷が生じる恐れがある。そのため、油圧のない無負荷の状態においても油圧室からの油漏れを低減できるシールリングが求められている。
【０００５】
従来、ＣＶＴ用のシールリングとしては、図１に示すように、断面略矩形で外周側に配置されるエンドレスタイプの樹脂リング７と、内周側に配置され、樹脂リングに拡張力を与えるＯリング６から構成される組合せシールリングが用いられてきた。一般に、樹脂リング７の材料としては、充填剤を添加したＰＴＦＥ樹脂等が用いられ、Ｏリング６の材料としては、ゴム状弾性体が用いられている。
このような従来の組合せシールリングでは、Ｏリング６と樹脂リング７を潰し込んで、溝底８とハウジング４の内面４ａとの間の隙間に装着するため、その後、Ｏリング６と樹脂リング７が装着された軸３をハウジング４に挿入する際の組み付け抵抗が大きく、圧入装置を導入してハウジング４を組み付ける必要があった。そのため、製造コストが増加し、シールリングの組み付け不具合も検知できないという問題があった。
さらに、従来の樹脂リング７は合口を有していないため、軸溝９に挿入する際、軸ランド部３ｂまでリング外径を拡張して挿入する必要があった。このため、治具を用いて、樹脂リング７の外径を所定の外径まで縮径する必要があり、組み付けに時間を要していた。
また、このような組合せシールリングでは、摺動抵抗が高くなるため、特に、高油圧下において摺動摩耗が問題となっていた。
【０００６】
上述の課題に対し、より小さな力で容易にシール溝（軸溝）に装着できるエンドレスタイプのシールリングが提案されている。特許文献１には、樹脂のエンドレスタイプのシールリングに、環状体の内周側に軸方向に延びる複数の突条を設け、これらの突条の先端をシール溝の底に接触させる構成が示されている。前記構成を採用することにより、シール溝の溝縁を乗り越えさせる際に、環状体の内周側に設けた各突条を周方向に倒すように変形させ、エンドレスタイプのシールリングを小さな力で容易にシール溝に装着可能であると記載されている。
また、特許文献２には、ハウジングの内部を密封する軸の外径面に設けられたシール溝に装着され、外周部が、樹脂材料で形成され、内周部が弾性材料で形成されたシールリングにおいて、樹脂材料で形成された外周部を薄肉とするように、弾性材料で形成された内周部を、外周部の内側に食い込ませた構成が示されている。前記構成を採用することにより、拡径に対する変形抵抗が大きい外周部の断面積を小さくするとともに、扁平に変形して逃げやすい弾性材料で形成された内周部の断面積を大きくし、エンドレスタイプのシールリングを小さな力で容易にシール溝に装着可能であると記載されている。
【０００７】
上記特許文献に記載された構成を採用することにより、シール溝への装着が容易になる可能性が考えられる。しかしながら、上記の構成は、いずれもシールリングの内周面を溝底に接触させる設計であるため、軸をハウジングに挿入する際の組み付け抵抗が大きく、圧入装置を用いる必要がある。このような装着方法では、シールリングに破損や欠けが生じる可能性がある。また、上記特許文献のシールリングのように複雑な形状は一般に射出成形により形成される。射出成形用樹脂としては、一般に、ポリエーテルエーテルケトン（ＰＥＥＫ）、ポリフェニレンスルファイド（ＰＰＳ）、ポリアミド（ＰＡ）等が用いられる。しかし、これらの材料は従来のＰＴＦＥ等フッ素系樹脂に比べ、硬く脆いため、上記のようにリング内周面が軸溝底と接触した構成を採用した場合には、シールリングを軸に装着する際にも、破損や欠けが生じる可能性がある。
【先行技術文献】
【特許文献】
【０００８】
【特許文献１】特開２００８−１９０６４３号公報
【特許文献２】特開２００８―１９０６５０号公報
【発明の概要】
【発明が解決しようとする課題】
【０００９】
本発明は上記事情に鑑みてなされたもので、軸溝及びハウジングへの装着が容易で、摺動摩耗が小さく、油圧の発生しない無負荷の状態においても、ハウジング内周面との密着を維持し得るシールリング及びシール装置を提供することを目的とする。
【課題を解決するための手段】
【００１０】
上記目的に鑑み鋭意研究の結果、本発明者らは、ハウジングと相対移動する軸の外周面に形成される軸溝に装着され、外周側に配置され合口を有する樹脂リングと、樹脂リングの内周側に配置されるコイルエキスパンダを備えるシールリングにおいて、樹脂リングの受圧側面の内周側に、内周面に向かい軸方向幅が小さくなるように傾斜角度４５°〜７５°の傾斜面を設け、且つコイルエキスパンダの合口を閉じた自由状態の外径を、樹脂リングの合口を閉じた状態の外径を１として０．９２〜０．９８とすることにより、無負荷状態においても、ハウジング内周面との間の密着を維持でき、摺動摩耗を低く抑えられ、且つ軸溝及びハウジングに容易に装着できることを見出し、本発明を完成した。即ち、本発明のシールリングは、ハウジングと相対移動する軸の外周面に形成される軸溝に装着されるシールリングであって、外周側に配置され合口を有する樹脂リングと、樹脂リングの内周側に配置されるコイルエキスパンダを備え、樹脂リングの受圧側面の内周側に、内周面に向かい軸方向幅が小さくなるように傾斜角度４５°〜７５°の傾斜面が設けられ、且つコイルエキスパンダの合口を閉じた自由状態の外径が、樹脂リングの合口を閉じた状態の外径を１として０．９２〜０．９８であることを特徴とする。
また、本発明のシール装置は、前記シールリングを備えるシール装置であって、コイルエキスパンダの合口を閉じた自由状態の外径が軸溝の外径より大きく、且つ軸の外径より小さく設定されていることを特徴とする。
【発明の効果】
【００１１】
本発明のシールリングによれば、油圧の発生しない無負荷の状態においても、内周側に配置されたコイルエキスパンダの拡張力により、外周側に配置された樹脂リングの外周面が、ハウジングの内周面と密着するため、油圧室からの油の漏れを防止できる。また、本発明のシールリングでは、樹脂リングが合口を有するため、軸溝への装着も容易である。さらに、本発明のシールリング及びシール装置では、軸溝への装着時に潰し込む必要がないため、シールリングを装着した軸を容易にハウジングに組み付けることができる。さらに、本発明のシールリングでは、高温高油圧下でもコイルエキスパンダによるハウジング内周面への押し付け力が均一に維持されるため、摺動摩耗量を低く抑えることができる。
また、本発明のシール装置では、樹脂リング及びコイルエキスパンダがリング溝の溝底に接触しないため、稼動時にコイルエキスパンダや樹脂リングが変形することなく、優れたシール性を維持できる。上記構成では、シールリングを軸溝に装着した状態で、樹脂リングの接触側面と軸溝壁面に適度な掛かり代があるため、軸をハウジングに挿入する際、かじりが生じることなく、優れた組付け性が得られる。さらに、上記構成のシール装置は、摺動抵抗が低く、高油圧下においても、摺動摩耗を抑制することができる。
【図面の簡単な説明】
【００１２】
【図１】従来のシールリングが装着された状態を示す断面図である。
【図２】本発明のシールリングが装着された状態を示す断面図である。
【図３】本発明の樹脂リングの合口形状の一例を示す斜視図である（ダブルアングル合口）。
【図４】本発明の樹脂リングの合口形状の他の一例を示す斜視図である（ダブルカット合口）。
【図５】本発明のコイルエキスパンダの一例を示す正面図である。
【図６】静的漏れ性能試験装置の概略を示す断面図である。
【発明を実施するための形態】
【００１３】
以下に本発明のシールリング及びシール装置について図面を参照して詳細に説明する。
図２に、本発明のシールリングの装着状態の一例を示す。シールリングは、ハウジング４の内周に設置される軸３の外周面に設けられた軸溝９に装着されている。そして、軸溝の溝底８側にはコイルエキスパンダ１が配置され、ハウジング４側には樹脂リング２が配置されている。樹脂リング２の受圧側面（軸溝壁面３ａと接触する接触側面とは反対の側面）の内周側には内周面に向かい軸方向幅が小さくなるように傾斜面が設けられている。ここで、傾斜面の傾斜角度は４５°〜７５°に設定する。傾斜角度は、図２中のθであり、受圧側面外周側（傾斜していない面）の延長面と傾斜面とのなす角度である。また、コイルエキスパンダ１の自由時の外径、即ち、両合口を閉じた撓みのない状態での外径が、樹脂リング２の合口を閉じた状態の外径を１として０．９２〜０．９８となるようにする。前記構成のシールリングでは、コイルエキスパンダ１は樹脂リング２の受圧側面に設けられた傾斜面と軸溝の側面との間に配置し、コイルエキスパンダ１の張力により、樹脂リング２の外周面が、ハウジング４の内周面４ａと密着し、無負荷状態においてもシール性能を発揮する。
【００１４】
前記傾斜角度が４５°未満では、優れたシール性能が得られないのみならず、ハウジング内周面４ａの公差による張力変化が大きくなるため、組付け作業者がハウジング４を組付ける感覚の変化が大きくなり、組付け性が低下する。また、高温下で樹脂リング２の樹脂が軟化した場合、傾斜角度が小さいと、コイルエキスパンダ１によるハウジング内周面への押し付け力が不安定になり、摺動摩耗量が増加する。一方、傾斜角度が７５°より大きくても優れたシール性は得られない。さらに、この場合には、軸３にコイルエキスパンダ１及び樹脂リング２を装着した後、ハウジングを挿入する際に、コイルエキスパンダ１が樹脂リング２からはみ出しやすく、装着性に問題が生じる。また、傾斜角度が大きいと、高圧下でコイルエキスパンダ１が移動しやすくなるため、樹脂リング２のハウジング内周面４ａに対する押し付け力が不安定になり、摺動摩耗量が増加する。シール性、装着（組み付け）性及び摺動特性を考慮すると、傾斜角度は５５°〜６５°とするのがより好ましい。
【００１５】
前記コイルエキスパンダ１の自由時の外径が、樹脂リング２の合口を閉じた状態の外径を１として０．９２未満では、コイルエキスパンダ１の撓みが小さいため、シールリングがふらつきやすくなり、摺動摩耗量が増加する傾向があり、組み付けも困難となる。一方、コイルエキスパンダ１の自由時の外径が、樹脂リング２の合口を閉じた状態の外径を１として０．９８を超えた場合には、組み付けが困難となる。摺動特性及び装着性を考慮すると、コイルエキスパンダ１の自由時の外径は、樹脂リング２の合口を閉じた状態の外径を１として０．９４〜０．９８とするのがより好ましい。
【００１６】
本発明の樹脂リング２は、合口を有し、装着性に優れるため、エンドレスタイプの樹脂リングとＯリングから構成される従来のシールリングのように、軸溝への装着時に、シールリングを潰し込む必要はない。そのため、ハウジングへの軸の装着時に、圧入装置を使用する必要がなく、手作業で容易に装着できる。
樹脂リング２の合口形状は特に限定されず、直角（ストレート）合口、斜め（アングル）合口、段付き（ステップ）合口の他、図３に示すダブルアングル合口や図４に示すダブルカット合口等を採用することができる。合口隙間部への油の流通を遮断し、シール性を向上させるためには、ダブルアングル合口及びダブルカット合口が好ましい。
樹脂リング２の材料は、高油圧下での摺動に耐えうる材料であれば特に限定されず、ポリテトラフルオロエチレン（ＰＴＦＥ）、変性ポリテトラフルオロエチレン、エチレンテトラフルオロエチレン（ＥＴＦＥ）等のフッ素系樹脂の他、ポリエーテルエーテルケトン（ＰＥＥＫ）、ポリフェニレンサルファイド（ＰＰＳ）、ポリイミド（ＰＩ）等が用いられる。一般に、これらの樹脂にカーボン粉末やカーボンファイバー等の添加剤を分散した材料が好ましく用いられる。
【００１７】
コイルエキスパンダ１の材料は特に限定されるものではないが、ピアノ線、ステンレス鋼、シリコンクロム鋼等を用いて製造するのが好しい。また、コイルエキスパンダ１の両端面１ａ，１ｂを固定して、外力により両端面１ａ，１ｂが離間しないようにすると、シールリングの組付け性がさらに向上する。両端部の固定方法は特に限定されないが、図５に示すように、コイルエキスパンダ１の内周に、丸線１ｃを挿入し、コイルエキスパンダ１の両端面１ａ，１ｂを圧着させるのが好ましい。
【００１８】
また、本発明のシール装置では、コイルエキスパンダ１の合口を閉じた自由状態の外径を軸溝の外径より大きく、且つ軸の外径より小さく設定するのが好ましい。この構成では、コイルエキスパンダ１は、前記傾斜面と軸溝壁面との間に装着され、溝底８に接触しない。そのため、稼働時にコイルエキスパンダ１や樹脂リング２が変形することなく、優れたシール性を維持できる。また、上記構成では、シールリングを軸溝に装着した状態で、樹脂リング２の接触側面と軸溝壁面３ａに適度な掛かり代があるため、軸３をハウジング４に挿入する際、かじりが生じることなく、優れた組付け性が得られる。さらに、上記構成のシール装置では、摺動抵抗が低いため、運転時の摩耗を抑制できる。
【実施例】
【００１９】
本発明を以下の実施例によりさらに詳細に説明するが、本発明はこれらの例に限定されるものではない。
（実施例１）
３０質量％のカーボン繊維を含有するＰＴＦＥ樹脂を用いて樹脂リングを作製した。ここで、樹脂リングの外径（呼び径）は、１３０ｍｍ、厚み（径方向幅）は、２．８ｍｍ、幅（軸方向幅）は、３．１ｍｍとした。得られた樹脂リングに、図３に示すダブルアングル合口を１箇所形成し、一方の側面（受圧側面）の内周側に内周面に向かい軸方向幅が小さくなるように傾斜角度θが４５°の傾斜面を形成した。また、線径０．４５ｍｍのピアノ線を用いて、巻径Φ１．６ｍｍ、張力２Ｎのコイルエキスパンダを作製した。なお、この時、コイルエキスパンダの合口を閉じた自由状態での外径は、樹脂リングの合口を閉じた状態での外径を１とすると０．９５であった。
【００２０】
（実施例２）
樹脂リングの斜面角度θを５５°とした以外、実施例１と同様に樹脂リング及びコイルエキスパンダを作製した。
（実施例３）
樹脂リングの斜面角度θを６０°とした以外、実施例１と同様に樹脂リング及びコイルエキスパンダを作製した。
（実施例４）
樹脂リングの斜面角度θを６５°とした以外、実施例１と同様に樹脂リング及びコイルエキスパンダを作製した。
（実施例５）
樹脂リングの斜面角度θを７５°とした以外、実施例１と同様に樹脂リング及びコイルエキスパンダを作製した。
（比較例１）
樹脂リングの斜面角度θを４０°とした以外、実施例１と同様に樹脂リング及びコイルエキスパンダを作製した。
（比較例２）
樹脂リングの斜面角度θを８０°とした以外、実施例１と同様に樹脂リング及びコイルエキスパンダを作製した。
【００２１】
（静止状態におけるオイル漏れ量の測定）
実施例１〜５並びに比較例１及び２のコイルエキスパンダ及び樹脂リングを、図２に示すように軸の外周面に設けた軸溝に装着し、図６に示す静的漏れ性能試験装置に設置した。実施例１については、樹脂リングの合口が、試験装置の中心線１８に対して、上側及び下側となるように配置して、それぞれのオイル漏れ量を測定した。また、実施例２〜５並びに比較例１及び２については、試験装置の中心線１８に対して合口を下側に配置したものについてオイル漏れ量を測定した。油圧室１６に、１６５ｃｃのオイルを充填し、室温下（オイル温度：２５℃）、静止状態で、シールリングから漏れたオイルを排油溝から回収し、７日間の累積オイル漏れ量を測定した。また、参考として、コイルエキスパンダを用いず、実施例１と同様の樹脂リングのみ装着した構成（参考例１）及び内周側にＯリング（１種Ａ）を配置し、外周側に合口のない樹脂リングを配置し、Ｏリングの内周面を溝底部に接触させ、樹脂リングの外周面をハウジング内周面に接触させた構成（参考例２）についても同様に静的漏れ性能試験を行った。なお、シールリングを装着した軸の外径は、１６０ｍｍ、軸溝の外径は、１４５ｍｍで、コイルエキスパンダの合口を閉じた自由状態での外径（１５５ｍｍ）は、軸の外径より小さく、軸溝の外径より大きく設定した。
【００２２】
静的漏れ量を測定した結果を表１に示す。実施例１では、合口を上側及び下側のいずれに配置した場合にも充分な静的シール性が得られることが確認された。一方、コイルエキスパンダを設置しない参考例１では、７日間の累積オイル漏れ量が、１６０ｃｃとなり、無負荷状態では、充分なシール性を得られないことがわかった。また、実施例１〜５並びに比較例１及び２の結果より、樹脂リングの傾斜角度が４５°〜７５°の間で優れた静的シール性が得られることが確認された。なお、Ｏリングと合口のない樹脂リングから構成される比較例２のオイル漏れ量も実施例１〜５と同程度であった。
【００２３】
（摺動抵抗の測定）
実施例１〜５のコイルエキスパンダ及び樹脂リングを、軸の外周面に設けた軸溝に装着し、油圧１．５ＭＰａ、油温８０℃において、ハウジングを１０ｍｍ／ｓのストロークで往復動させた時の摺動抵抗を測定した。比較として、比較例１及び２並びに参考例１及び２についても、実施例１と同様に測定を行った。
摺動抵抗を測定した結果を表１に示す。Ｏリングと合口のない樹脂リングから構成される比較例２では、２０００Ｎと非常に大きい摺動抵抗を示したが、実施例１〜５、比較例１及び２並びに参考例１の摺動抵抗に殆ど差異は認められなかった。
【００２４】
（高油圧下での摺動摩耗量の測定）
実施例１〜５のコイルエキスパンダ及び樹脂リングを、軸の外周面に設けた軸溝に装着し、油圧４．０ＭＰａ、油温１５０℃において、ハウジングを１０ｍｍ／ｓのストロークで、累積２００ｍｍ往復動した後の樹脂リングの摩耗量を測定した。比較として、比較例１及び２並びに参考例１及び２についても、実施例１と同様に測定を行った。
高油圧下での摺動摩耗量の測定結果を表１に示す。参考例２に比べ、実施例１〜５、比較例１及び２、並びに参考例１は、高油圧下での摺動摩耗量が非常に少なく、特に、傾斜角度が５５°〜６５°の実施例２〜４で、摺動摩耗量が少ないことが確認された。この傾斜角度では、熱により樹脂リングの樹脂が軟化してもコイルエキスパンダによるハウジング内周面への押し付け力が安定に維持され、さらに高油圧下でもコイルエキスパンダが所定の位置に維持され、コイルエキスパンダによるハウジング内周面への押し付け力が安定に維持されたことにより、摺動摩耗が抑えられたと考えられる。
【００２５】
【表１】
2014178037.tif 000003
【００２６】
（実施例６）
樹脂リングの斜面角度θを５０°とした以外、実施例１と同様に樹脂リング及びコイルエキスパンダを作製した。
（実施例７）
コイルエキスパンダの合口を閉じた自由状態での外径を、樹脂リングの合口を閉じた状態での外径を１として０．９８とした以外、実施例６と同様に樹脂リング及びコイルエキスパンダ
を作製した。
（実施例８）
コイルエキスパンダの合口を閉じた自由状態での外径を、樹脂リングの合口を閉じた状態での外径を１として０．９２とした以外、実施例６と同様に樹脂リング及びコイルエキスパンダを作製した。
（比較例３）
コイルエキスパンダの合口を閉じた自由状態での外径を、樹脂リングの合口を閉じた状態での外径を１として１．００とした以外、実施例６と同様に樹脂リング及びコイルエキスパンダを作製した。
【００２７】
比較例３では、コイルエキスパンダがはみ出して、適正な組み付けができなかったので、それ以外の実施例６〜８について、実施例１と同様に、静的漏れ量、摺動抵抗、及び高油圧下での摺動摩耗量を測定した。結果を表２に示す。いずれの実施例でも、静的オイル漏れ量及び高油圧下での摺動摩耗量ともに少なかったが、高油圧下での摺動摩耗量は、実施例６及び７で特に少なかった。これは、コイルエキスパンダの撓み量が最適化されることにより、高油圧下においても、シールリングがふらつくことなく、ハウジング内周面に対して安定した押し付け力が負荷されたためと考えられる。
【００２８】
【表２】
2014178037.tif 000004
【符号の説明】
【００２９】
１  コイルエキスパンダ
２、７  樹脂リング
３  軸
４  ハウジング
６  Ｏリング
【図１】
2014178037.tif 000005
【図２】
2014178037.tif 000006
【図３】
2014178037.tif 000007
【図４】
2014178037.tif 000008
【図５】
2014178037.tif 000009
【図６】
2014178037.tif 000010